(57)【特許請求の範囲】
【請求項１】
内部に中空部を有する弾性部材と、
錘が取り付けられる中空状の管状部材であって、前記弾性部材の中空部と連通するようにして前記弾性部材の一端側に取り付けられる管状部材と、
一端側が道糸と連結され、他端側はハリス等の他の仕掛けと連結される幹糸であって、前記弾性部材及び前記管状部材の内部を貫通するようにして挿通された状態で、その途中部分が前記管状部材が取り付けられた側と反対側の前記弾性部材の端部に固定された幹糸と、
前記幹糸に取り付けられ、前記弾性部材が伸張した際に前記管状部材の端部に当接して当該弾性部材が過度に伸張して座屈するのを防止するストッパと、
を備えて構成されたことを特徴とする伸縮自在な釣り用天秤。
【請求項２】
請求項１に記載の釣り伸縮自在な用天秤において、
前記弾性部材がコイルバネであり、
当該コイルバネの端部の半径を小さく絞り込むことによって絞込部を形成し、この絞込部に当該絞込部から抜け出ることがない大きさに形成された固定部材を配置し、そして、当該固定部材に前記幹糸を固定することにより前記コイルバネの端部に前記幹糸を固定したことを特徴とする伸縮自在な釣り用天秤。
【請求項３】
請求項２に記載の伸縮自在な釣り用天秤において、
前記固定部材への幹糸の固定は、前記固定部材に設けられた貫通孔の一方側から前記幹糸を挿入した後、再び同じ方向から挿通することにより当該幹糸を前記固定部材へ固定したことを特徴とする伸縮自在な釣り用天秤。
【請求項４】
請求項１から３のいずれか１項に記載の伸縮自在な釣り用天秤において、
前記管状部材は、複数取り付けられると共に、それぞれの管状部材に前記幹糸が挿通されて形成されていることを特徴とする伸縮自在な釣り用天秤。
【請求項５】
請求項１から４のいずれか１項に記載の伸縮自在な釣り用天秤において、
前記幹糸の各端部には連結部材が取り付けられ、当該連結部材に竿から伸びる道糸又はハリスが連結されるようにされたことを特徴とする伸縮自在な釣り用天秤。
【請求項６】
請求項１から５のいずれか１項に記載の伸縮自在な釣り用天秤において、
前記弾性部材及びストッパは、当該弾性部材が座屈しない長さに伸張可能な長さを有するケース内に収納されてなり、前記弾性部材が伸張した際に前記ストッパが前記ケースの内壁に当接することにより前記弾性部材の座屈を防止したことを特徴とする伸縮自在な釣り用天秤。
【請求項７】
請求項１から６のいずれか１項に記載の伸縮自在な釣り用天秤において、
さらに、水流に対する安定性を確保するためのフィンを備えていることを特徴とする伸縮自在な釣り用天秤。
【請求項８】
請求項１から７のいずれか１項に記載の伸縮自在な釣り用天秤を備えた釣り用仕掛け。
【発明の詳細な説明】
【技術分野】
【０００１】
本発明は、伸縮自在な釣り用天秤及びそれを備えた釣り用仕掛けに関し、さらに詳しくは、水中で弾性部材が自在に伸び縮みすることによりその動きを幹糸に連結された仕掛けに伝達させ、餌付き釣り針を活発に動かすことによって優れた集魚効果を発揮する伸縮自在な釣り用天秤及びそれを備えた釣り用仕掛けに関する。
【背景技術】
【０００２】
船釣りを始め磯釣りや渓流釣り等、釣り人口は年々増加しており、それぞれの釣りの特徴に応じた各種の釣り用具が提供されている。例えば、主に海底に生息するアイナメ、ソイ、コチ、ハゼ、カレイといった根魚を対象とした釣りや投げ釣りの場合には、糸が絡むのを防止するために天秤が使用されている。船釣り等で広く使用されている従来の天秤には、片天秤、両天秤、トンボ天秤等があり、それらの天秤を用いて仕掛けが構成されている。そして、それらは釣るべき対象となる魚の種類よって適宜選択されて使用されていた。
【０００３】
天秤を初めとする種々の釣り用の仕掛けは、釣果を向上させるために様々な工夫がなされている。例えば、特開２００２−１７２２７号公報（特許文献１）には、パイプ状をした天秤本体内に幹糸を挿通し、天秤本体に錘を取り付けた従来の釣り用天秤が開示されていると共に、魚が針にかかった際の当たりを増幅して伝播させ、それによって魚を確実に捕らえて釣果の向上に寄与させるという工夫を施した仕掛けが開示されている。
【０００４】
また、特開２００１−３２１０４７号公報（特許文献２）に開示された仕掛けは、バネを伸張させた状態でそれを係止フックに掛止させて魚の食いつきを待ち、そして、糸の先端に取り付けた釣り針に魚が食いついて糸が引っ張られると係止フックが離脱してバネが縮み、その動きによって確実に釣り針を魚にヒットさせるようにしたものである。
【特許文献１】特開２００２−１７２２７号公報
【特許文献２】特開２００１−３２１０４７号公報
【発明の開示】
【発明が解決しようとする課題】
【０００５】
海底に生息する根魚のアイナメ、ソイ、コチ、ハゼ、カレイ類等の釣りの場合には、生餌としてエラコ、アオイソメ、ゴカイ等がよく使われるが、それらの生餌を釣針に刺し付けるとすぐに弱ってしまい動きが悪くなる。そのため当然集魚効果も悪くなり釣果に影響を与える。魚は常に動きのある餌を捕食する習性があるので竿をあおり、それによって餌の動きを活発に見せるいわゆるコズキ釣法等がある。特に船釣りに広く利用されている従来型の釣り仕掛けは釣り人がコズキやシャクリといった竿をあおる動作をしなければ餌も動かない停止型仕掛けが全てであった。
【０００６】
しかし、竿をコズキやシャクリにより動かしても風や潮流による糸フケ（糸が弛んだ状態になること）によって竿の動きが確実に餌に伝わらない場合がある。また、潮流や海底の状況によってはコズキやシャクリによって糸ガラミや根掛かりが起きやすくなるといった問題もある。さらに、魚は潮流に向かって泳ぐ習性があり、潮廻りが良ければ魚も活発に活動するが、潮止まりになると魚の動きは鈍くなり食いつきも悪くなる。
【０００７】
そこで、本発明は、そのような問題を解決するために、伸縮自在の機構を釣り用仕掛けに適用することにより釣り餌を容易に動かすことを可能とし、それによって優れた集魚効果を発揮させることが可能な伸縮自在な釣り用天秤及びそれを備えた釣り用仕掛けを提供することを目的とする、
また、本発明は、潮流の急な変化があっても糸フケや糸ガラミを効果的に防止することができる伸縮自在な釣り用天秤及びそれを備えた釣り用仕掛けを提供する。
【課題を解決するための手段】
【０００９】
上記課題を解決するため請求項１に記載の本発明は、内部に中空部を有する弾性部材と、錘が取り付けられる中空状の管状部材であって、弾性部材の中空部と連通するようにして弾性部材の一端側に取り付けられる管状部材と、一端側が道糸と連結され、他端側はハリス等の他の仕掛けと連結される幹糸であって、弾性部材及び管状部材の内部を貫通するようにして挿通された状態で、その途中部分が管状部材が取り付けられた側と反対側の弾性部材の端部に固定された幹糸と、幹糸に取り付けられ、弾性部材が伸張した際に管状部材の端部に当接して弾性部材が過度に伸張して座屈するのを防止するストッパとを備えて構成されたことを特徴とする伸縮自在な釣り用天秤を提供する。
【００１０】
上記課題を解決するため請求項２に記載の本発明は、請求項１に記載の釣り伸縮自在な用天秤において、弾性部材がコイルバネであり、コイルバネの端部の半径を小さく絞り込むことによって絞込部を形成し、この絞込部に絞込部から抜け出ることがない大きさに形成された固定部材を配置し、そして、固定部材に幹糸を固定することによりコイルバネの端部に幹糸を固定したことを特徴とする。
【００１１】
上記課題を解決するため請求項３に記載の本発明は、請求項２に記載の伸縮自在な釣り用天秤において、固定部材への幹糸の固定は、固定部材に設けられた貫通孔の一方側から幹糸を挿入した後、再び同じ方向から挿通することにより幹糸を固定部材へ固定したことを特徴とする。
【００１２】
上記課題を解決するため請求項４に記載の本発明は、請求項１から３のいずれか１項に記載の伸縮自在な釣り用天秤において、管状部材は、複数取り付けられると共に、それぞれの管状部材に幹糸が挿通されて形成されていることを特徴とする。
【００１３】
上記課題を解決するため請求項５に記載の本発明は、請求項１から４のいずれか１項に記載の伸縮自在な釣り用天秤において、幹糸の各端部には連結部材が取り付けられ、連結部材に竿から伸びる道糸又はハリスが連結されるようにされたことを特徴とする。
【００１４】
上記課題を解決するため請求項６に記載の本発明は、請求項１から５のいずれか１項に記載の伸縮自在な釣り用天秤において、弾性部材及びストッパは、弾性部材が座屈しない長さに伸張可能な長さを有するケース内に収納されてなり、弾性部材が伸張した際にストッパがケースの内壁に当接することにより弾性部材の座屈を防止したことを特徴とする。
【００１５】
上記課題を解決するため請求項７に記載の本発明は、請求項１から６のいずれか１項に記載の伸縮自在な釣り用天秤において、さらに、水流に対する安定性を確保するためのフィンを備えていることを特徴とする。
【００１６】
上記課題を解決するため請求項８に記載の本発明は、請求項１から７のいずれか１項に記載の伸縮自在な釣り用天秤を備えた釣り用仕掛けを提供する。
【発明の効果】
【００１７】
本発明に係る伸縮自在な釣り用天秤及びそれを備えた釣り用仕掛けによれば、弾性部材の伸縮動作によって釣り針を動かすので餌が活発に動き、それによって常に動きのある餌を捕食する習性がある魚の集魚効果を高めることができるという効果がある。そして、それによって釣果の向上も期待できるという効果がある。
また、本発明に係る伸縮自在な釣り用天秤及びそれを備えた釣り用仕掛けによれば、「こずき」や「しゃくり」といった釣り人自身による竿をあおる動作だけでなく、波の動きで上下する船の動きに連動して容易に弾性部材を伸縮させることができるので、釣り人が竿をあおる操作をあまり行わなくても釣り針に取り付けた餌は活発に動き集魚効果を高めることができるという効果がある。もちろん、それによって釣果の向上も期待できる。
さらに、本発明に係る伸縮自在な釣り用天秤及びそれを備えた釣り用仕掛けによれば、フィンによって水流に対する安定性を付与したので潮の干満の差で起きる潮流の急な変化での糸フケや糸ガラミを防止することができるという効果がある。
【発明を実施するための最良の形態】
【００１８】
以下、本発明に係る伸縮自在な釣り用天秤及びそれを備えた釣り用仕掛けについて好ましい実施形態に基づいて説明する。図１は本発明に係る伸縮自在な釣り用天秤の第一の実施形態の全体図、図２は図１の釣り用天秤が伸長した状態を示す全体図である。図示された、第一の実施形態における天秤Ａは、概略として、弾性部材であるコイルバネ１と、中空状の管状部材３と、コイルバネ１及び管状部材３の内部に挿通された幹糸６と、コイルバネ１が過度に伸張して座屈するのを防止するストッパ９を備えて構成されている。
【００１９】
始めに、コイルバネ１は、引きバネで、後述する管状部材３に取り付けられる錘５によって巻回方向に伸縮運動を誘発し、所定の振動周期で上下に振動するようになっている。どの程度の強さのバネを用いるかは使用する錘５の重量によって適宜選択すればよい。コイルバネ１は、錆に強い材質である表面処理（メッキ処理等）したピアノ線や硬鋼線又は錆びに強いステンレス線を所定の径サイズで巻回して形成するのが好ましいが、錆の問題がない樹脂等、他の素材によって形成することもできる。尚、コイルバネ１はその形状からその内部には中空部が形成されている。
【００２０】
コイルバネ１の一端側（図１における下部側）には中空状の管状部材３が、コイルバネ１の中空部と連通するようにして取り付けられている。この管状部材３は、天秤Ａのいわゆる本体となる。そして、管状部材３は、そのほぼ中間付近で直角方向に折り曲げられた形状とされている。尚、管状部材３の折り曲げ角度これに限定されるものではなく適宜の角度で折り曲げることができるし、折り曲げることなく真っ直ぐなストレート形状としても構わない。コイルバネ１と管状部材３との接続は、ハンダによって溶接されているが、コイルバネ１の中空部と連通するように固定されていればその接続方法は特に限定するものではない。一方、管状部材３には、錘５を取り付けるための取付部としてスナップ４が取り付けられている。スナップ４は、バランスよく上下振動させるためにコイルバネ１の下部に位置するように配置するのが好ましい。そして、このスナップ４に錘５が着脱可能に垂下されるようになっている。
【００２１】
また、コイルバネ１と管状部材３の内部を貫通するようにして幹糸６が挿通されており、そして、幹糸６の一端に取り付けられたヨリモドシ８によって図示しない竿又はリールから巻き出される道糸２０と連結されるようになっている。一方、幹糸６の他端側はハリス等の他の仕掛け類との連結を可能とするヨリモドシ８が取り付けられている。幹糸６は、コイルバネ１と管状部材３の内部を貫通するようにして挿通された状態において、その途中部分が管状部材３が取り付けられた側と反対側のコイルバネ１の端部に固定されている。具体的には、図３に示すように、コイルバネ１の端部の半径を小さく絞り込むことによって絞込部２を形成し、この絞込部２に絞込部２から抜け出ることがない大きさに形成された球状の固定部材７を配置する。そして、固定部材７に幹糸６を巻きつけて固定することによってコイルバネ１と幹糸６を固定している。幹糸６の固定部材７への巻きつけは以下のようにして行われる。すなわち、固定部材７には貫通孔７ａが設けられており、この貫通孔７ａに図３における上から下へ向かって幹糸６を挿入し、下側から突出した幹糸６を再び貫通孔７ａに同じ方向から（上から下へ向かって）挿通することにより幹糸６を固定部材７に固定している。但し、幹糸６の固定部材７への固定はこれに限るものではなく、貫通孔７ａに挿通した幹糸６が貫通孔７ａから抜け出ないようカシメ止めしたり接着、溶接等によって行うこともできる。尚、幹糸６は、ナイロン、ＰＥ、フロロカーボン等の他、ワイヤ等によっても形成することができる。
【００２２】
さらに、管状部材３を貫通して突出した幹糸６の所定部分には、コイルバネ１が伸張した際に管状部材３の端部に当接してコイルバネ１がそれ以上伸張して座屈するのを防止するためのストッパ９が取り付けられている（図２参照）。ストッパ９は、管状部材３の径サイズよりも大きな径サイズを有する球状のビーズ部材によって形成されており、コイルバネ１が伸長した際、管状部材３の端部がストッパ９に当接することによって管状部材３がそれ以上の移動しないようにその動きが阻止され、それによってコイルバネ１の伸長が停止されるようになっている。ストッパ９を取り付ける位置はコイルバネ１を引き伸ばしても座屈することのない位置であればよいが、コイルバネ１ができるだけ長く伸長可能な位置に取り付けることが好ましい。
尚、ストッパ９の先にはヨリモドシ８が取り付けられており、そこにはハリスを介して釣り針１０が結着される。
【００２３】
このように形成された天秤Ａは、以下のように動作する。すなわち、スナップ４に錘５を取り付けた状態で図示しない竿を軽くあおって上下させると道糸２０に連結されている幹糸６によりコイルバネ１が引っ張られて伸長する。すると、錘５による荷重によりコイルバネ１は周期的な上下方向の振動を開始する。振動が開始されたら竿のあおりを止めても釣り針１０はそのまま上下運動を続ける。これにより竿を常に上下に動かさなくても餌は上下に動くので、たとえ弱った餌でも活発に動いているように見え、優れた集魚効果が発揮される。また、船釣りの場合には竿をあおらなくても波の波動によって上下に揺動する釣船の動きに伴ってコイルバネ１が伸縮を繰り返す。一方、餌に魚が食いついた場合には、道糸２０から幹糸６及び釣り針１０のハリスは連続しているのでそのテンションは直ちに竿に伝えられる。
【００２４】
次に、本発明に係る伸縮自在な釣り用天秤の第二の実施形態について図面を参照しつつ説明する。図４は本発明に係る伸縮自在な釣り用天秤の第二の実施形態の全体図、図５は図４の釣り用天秤が伸長した状態を示す全体図である。図示された、第二の実施形態における天秤Ｂは、上述した第一の実施形態における天秤Ａとほぼ同様に、概略として、弾性部材であるコイルバネ１と、中空状の管状部材３と、コイルバネ１及び管状部材３の内部に挿通された幹糸６と、コイルバネ１が過度に伸張して座屈するのを防止するストッパ９を備えて構成されている。そして、管状部材３にフィン１５が取り付けられている。このフィン１５によりフィンによって潮の干満の差等で起きる潮流の急な変化や早い水流に対する安定性が付与されるので糸フケや糸ガラミが防止される。尚、他の構成については第一の実施形態の天秤Ａとほぼ同様であり、同じ構成部分に同じ符号を付したので適宜参照することによりその説明は省略する。
【００２５】
次に、本発明に係る伸縮自在な釣り用天秤の第三の実施形態について図面を参照しつつ説明する。図６は本発明に係る伸縮自在な釣り用天秤の第三の実施形態の全体図、図７は図６の釣り用天秤が伸長した状態を示す全体図である。図示された、第三の実施形態における天秤Ｃは、上述した第一及び第二の実施形態における天秤Ａ、Ｂとほぼ同様に、概略として、弾性部材であるコイルバネ１と、中空状の管状部材３と、コイルバネ１及び管状部材３の内部に挿通された幹糸６と、コイルバネ１が過度に伸張して座屈するのを防止するストッパ９を備えて構成されている。そして、本実施形態では管状部材３が二股に別れるようにして２本配置された両天秤タイプとなっている。そして、それぞれの管状部材３、３に幹糸６、６が挿通されて構成されている。本実施形態の場合は、管状部材３に取り付けられるスナップ４は、コイルバネ１の下部に位置するように配置されており上下振動の際のバランスを確保している。尚、他の構成については第一の実施形態の天秤Ａとほぼ同様であり、同じ構成部分に同じ符号を付したので適宜参照することによりその説明は省略する。
【００２６】
次に、本発明に係る伸縮自在な釣り用天秤の第四の実施形態について図面を参照しつつ説明する。図８は本発明に係る伸縮自在な釣り用天秤の第四の実施形態の全体図、図９は図８の釣り用天秤が伸長した状態を示す全体図である。図示された、第四の実施形態における天秤Ｄは、上述した実施形態における天秤Ａ〜Ｃとほぼ同様に、概略として、弾性部材であるコイルバネ１と、中空状の管状部材３と、コイルバネ１及び管状部材３の内部に挿通された幹糸６と、コイルバネ１が過度に伸張して座屈するのを防止するストッパ９を備えて構成されている。そして、本実施形態の天秤Ｄは、僅かな角度で曲げられた管状部材３にコイルバネ１の伸縮方向に対して直角方向に突出する支持部材４ａが取り付けられており、この支持部材４ａにスナップ４が取り付けられる投げ釣りタイプのものとなっている。尚、他の構成については上記実施形態の天秤Ａ〜Ｃとほぼ同様であり、同じ構成部分に同じ符号を付したので適宜参照することによりその説明は省略する。
【００２７】
次に、本発明に係る伸縮自在な釣り用天秤の第五の実施形態について図面を参照しつつ説明する。図１０は本発明に係る伸縮自在な釣り用天秤の第五の実施形態の全体図、図１１は図１０の釣り用天秤が伸長した状態を示す全体図である。図示された、第五の実施形態における天秤Ｅは、上述した実施形態における天秤Ａ〜Ｄとほぼ同様に、概略として、弾性部材であるコイルバネ１と、中空状の管状部材３と、コイルバネ１及び管状部材３の内部に挿通された幹糸６と、コイルバネ１が過度に伸張して座屈するのを防止するストッパ９を備えて構成されている。そして、本実施形態の天秤Ｅは、管状部材３が真っ直ぐに形成されており、この管状部材３を中通しタイプの錘５の図示しない貫通孔に貫通させて管状部材３に取りけられている。天秤Ｅは、コイルバネ１、管状部材３、錘５が直線状に並んで配置されているので、投げ釣りに好適なタイプのものである。尚、他の構成については上記実施形態の天秤Ａ〜Ｄとほぼ同様であり、同じ構成部分に同じ符号を付したので適宜参照することによりその説明は省略する。
【００２８】
次に、本発明に係る伸縮自在な釣り用天秤の第六の実施形態について図面を参照しつつ説明する。図１２は本発明に係る伸縮自在な釣り用天秤の第六の実施形態の全体図、図１３は図１２の釣り用天秤が伸長した状態を示す全体図である。図示された、第六の実施形態における天秤Ｆは、上述した実施形態における天秤Ａ〜Ｅとほぼ同様に、概略として、弾性部材であるコイルバネ１と、中空状の管状部材３と、コイルバネ１及び管状部材３の内部に挿通された幹糸６と、コイルバネ１が過度に伸張して座屈するのを防止するストッパ９を備えて構成されている。そして、本実施形態の天秤Ｆは、真っ直ぐに形成された管状部材３の両側部から管状部材３を中心にして左右に自由に回転自在な回転アーム１８、１８が取り付けられている。そして、回転アーム１８、１８にはルアーの一種であるスプーン１９、１９がそれぞれ着脱可能に取り付けられるようになっている。本実施形態の場合には錘は取り付けられていないが、竿のあおりによりスプーン１９、１９が水の抵抗を受け、それによってコイルバネ１が適宜伸縮する。尚、他の構成については上記実施形態の天秤Ａ〜Ｅとほぼ同様であり、同じ構成部分に同じ符号を付したので適宜参照することによりその説明は省略する。
【００２９】
次に、本発明に係る伸縮自在な釣り用天秤の第七の実施形態について図面を参照しつつ説明する。図１４は本発明に係る伸縮自在な釣り用天秤の第七の実施形態の全体図、図１５は図１４の釣り用天秤が伸長した状態を示す全体図である。図示された、第七の実施形態における天秤Ｇは、概略として、弾性部材であるコイルバネ１と、コイルバネ１の内部に挿通された幹糸６と、コイルバネ１が過度に伸張して座屈するのを防止するストッパ９を備えて構成されている。
【００３０】
図コイルバネ１は、筒上のケース１４内に配置され、その上端部がケース１７を貫通するようにして挿通された支持棒１７に固定されている。また、支持棒１７には、ケース１４から上部側に突出するようにして取付金具１６が配設されている。この取付金具１６の端部にリング１６ａが設けられており、このリング１６ａに図示しない竿やリールから巻き出される道糸２０が連結されるようになっている。
【００３１】
一方、コイルバネ１の反対側の端部には、球状のストッパ９が取り付けられており、ストッパ９からはケース１４の底部に穿設された孔１４ａを通して幹糸６が取り付けられ、さらに、幹糸６の端部にはヨリモドシ８が取り付けられている。そして、ヨリモドシ８に図示しない錘やハリスといった種々の仕掛けがさらに連結されて釣り用仕掛けが構成される。また、ケース１４の長さ方向沿ってフィン１５が取り付けられている。このフィン１５によりこのフィン１５によって潮の干満の差等で起きる潮流の急な変化や早い水流に対する安定性が付与され、糸フケや糸ガラミが防止される。
【００３２】
ヨリモドシ８に取り付けられる図示しない錘によってコイルバネ１が伸長されると、ストッパ９はケース１４の内壁に当接し、それ以上の移動が阻止される。これによりコイルバネ１の過伸長による座屈が防止される。
【００３３】
以上のように、本発明に係る伸縮自在な釣り用天秤によれば弾性部材の伸縮動作によって釣り針を動かすので餌が活発に動き、それによって常に動きのある餌を捕食する習性がある魚の集魚効果を高めることができると共に、潮の干満の差で起きる潮流の急な変化での糸フケや糸ガラミを防止することができる。そして、この伸縮自在な釣り用天秤にさらに釣り針や錘、疑似餌やサビキ、ルアーといったものを適宜取り付けることによって伸縮自在な釣り用天秤を備えた釣り用仕掛けを形成することができる。
【図面の簡単な説明】
【００３４】
【図１】本発明に係る伸縮自在な釣り用天秤の第一の実施形態の全体図である。
【図２】図１の釣り用天秤が伸長した状態を示す全体図である。
【図３】コイルバネと幹糸の固定方法示す概略斜視図である。
【図４】本発明に係る伸縮自在な釣り用天秤の第二の実施形態の全体図である。
【図５】図４の釣り用天秤が伸長した状態を示す全体図である。
【図６】本発明に係る伸縮自在な釣り用天秤の第三の実施形態の全体図である。
【図７】図６の釣り用天秤が伸長した状態を示す全体図である。
【図８】本発明に係る伸縮自在な釣り用天秤の第四の実施形態の全体図である。
【図９】図８の釣り用天秤が伸長した状態を示す全体図である。
【図１０】本発明に係る伸縮自在な釣り用天秤の第五の実施形態の全体図である。
【図１１】図１０の釣り用天秤が伸長した状態を示す全体図である。
【図１２】本発明に係る伸縮自在な釣り用天秤の第六の実施形態の全体図である。
【図１３】図１２の釣り用天秤が伸長した状態を示す全体図である。
【図１４】本発明に係る伸縮自在な釣り用天秤の第七の実施形態の全体図である。
【図１５】図１４の釣り用天秤が伸長した状態を示す全体図である。
【符号の説明】
【００３５】
Ａ〜Ｇ      釣り用天秤
１      コイルバネ
２      絞込部
３      管状部材
４      スナップ
４ａ      支持部材
５      錘
６      幹糸
７      固定部材
７ａ      貫通孔
８      ヨリモドシ
９      ストッパ
１０      釣り針
１４      ケース
１４ａ      孔
１５      フィン
１６      取付金具
１７      支持棒
２０      道糸
【図１】
0004822930.tif 000002
【図２】
0004822930.tif 000003
【図３】
0004822930.tif 000004
【図４】
0004822930.tif 000005
【図５】
0004822930.tif 000006
【図６】
0004822930.tif 000007
【図７】
0004822930.tif 000008
【図８】
0004822930.tif 000009
【図９】
0004822930.tif 000010
【図１０】
0004822930.tif 000011
【図１１】
0004822930.tif 000012
【図１２】
0004822930.tif 000013
【図１３】
0004822930.tif 000014
【図１４】
0004822930.tif 000015
【図１５】
0004822930.tif 000016